(57)【要約】【課題】容易に小型化できる光送信モジュールを提供する。【解決手段】レーザドライバ４は、プリント回路板７から出力されるデータ信号を受け付ける。レーザドライバ４は、クロック信号出力装置８から出力されるクロック信号を受け付ける。レーザドライバ４は、クロック信号に基づいてデータ信号を補正する。光変調器５は、レーザドライバ４により補正されたデータ信号を受け付けて、データ信号に応じた光を出射する。【選択図】図１
2010109764.tif 000002
【特許請求の範囲】
【請求項１】
データ信号出力手段から出力されるデータ信号を受け付けるデータ信号受付手段と、
クロック信号出力手段から出力されるクロック信号を受け付けるクロック信号受付手段と、
前記クロック信号に基づいて前記データ信号を補正するデータ信号補正手段と、
前記データ信号補正手段により補正されたデータ信号を受け付けて、当該データ信号に応じた光を出射する光変調器と、
を含むことを特徴とする光送信モジュール。
【請求項２】
前記データ信号出力手段と前記データ信号受付手段とを電気的に接続する接続部材、又は、前記クロック信号出力手段と前記クロック信号受付手段とを電気的に接続する接続部材の少なくとも一方が、同軸ケーブルとは異なる接続部材である、
ことを特徴とする請求項１に記載の光送信モジュール。
【請求項３】
前記同軸ケーブルとは異なる接続部材が、リード線又はフレキシブルコネクタである、
ことを特徴とする請求項２に記載の光送信モジュール。
【請求項４】
前記クロック信号出力手段と前記クロック信号受付手段との間にインピーダンス整合回路が設けられている、
ことを特徴とする請求項１から３のいずれか一項に記載の光送信モジュール。
【請求項５】
前記クロック信号の周波数が、前記データ信号の周波数よりも小さい、
ことを特徴とする請求項１から４のいずれか一項に記載の光送信モジュール。
【請求項６】
前記クロック信号受付手段が、正弦波のクロック信号を受け付ける、
ことを特徴とする請求項１から５のいずれか一項に記載の光送信モジュール。
【発明の詳細な説明】
【技術分野】
【０００１】
本発明は、光送信モジュールに関する。
【背景技術】
【０００２】
高速伝送（具体的には、例えば、４０Ｇｂｐｓ）用の光送信モジュールが知られている。従来の高速伝送用の光送信モジュールでは、通信品質を維持するために、光送信モジュールと他の部品（プリント回路板やＩＣなど）との接続には、同軸ケーブルが用いられている。
【発明の開示】
【発明が解決しようとする課題】
【０００３】
従来の高速伝送用の光送信モジュールでは、光送信モジュールと他の部品との間が同軸ケーブルにより接続されているため、小型化が困難であった。
【０００４】
小型化が困難であるという課題を解決するために、光送信モジュールと他の部品との間をリードやフレキシブルコネクタなどにより接続することが考えられるが、このようにすると、通信品質（例えば、高周波特性）の維持が困難となってしまう。
【０００５】
本発明は上記課題に鑑みてなされたものであって、容易に小型化できる光送信モジュールを提供することを目的とする。
【課題を解決するための手段】
【０００６】
上記課題を解決するために、本発明に係る光送信モジュールは、データ信号出力手段から出力されるデータ信号を受け付けるデータ信号受付手段と、クロック信号出力手段から出力されるクロック信号を受け付けるクロック信号受付手段と、前記クロック信号に基づいて前記データ信号を補正するデータ信号補正手段と、前記データ信号補正手段により補正されたデータ信号を受け付けて、当該データ信号に応じた光を出射する光変調器と、を含むことを特徴とする。
【０００７】
本発明によれば、データ信号受付手段が受け付けるデータ信号の通信品質が劣化したとしても、データ信号補正手段がそのデータ信号を補正して、劣化したデータ信号の通信品質を高めることができる。そのため、通信品質を維持するため、光送信モジュールと他の部品との間を同軸ケーブルにより接続する必要性が低減される。このようにして、光送信モジュールを容易に小型化することができる。
【０００８】
本発明の一態様では、前記データ信号出力手段と前記データ信号受付手段とを電気的に接続する接続部材、又は、前記クロック信号出力手段と前記クロック信号受付手段とを電気的に接続する接続部材の少なくとも一方が、同軸ケーブルとは異なる接続部材であることを特徴とする。この態様によれば、光送信モジュールと他の部品との間が同軸ケーブルにより接続されている場合と比較して、光送信モジュールのサイズが小さくなる。
【０００９】
この態様では、前記同軸ケーブルとは異なる接続部材が、リード線又はフレキシブルコネクタであってもよい。
【００１０】
また、本発明の一態様では、前記クロック信号出力手段と前記クロック信号受付手段との間にインピーダンス整合回路が設けられていることを特徴とする。この態様によれば、クロック信号の伝送路で発生する電気的反射を低減することができる。
【００１１】
また、本発明の一態様では、前記クロック信号の周波数が、前記データ信号の周波数よりも小さいことを特徴とする。この態様によれば、一般的に、周波数が高いほど電気的反射の低減が困難であるため、クロック信号の周波数が、データ信号の周波数と等しい場合と比較して、クロック信号の伝送路で発生する電気的反射を容易に低減することができる。
【００１２】
また、本発明の一態様では、前記クロック信号受付手段が、正弦波のクロック信号を受け付けることを特徴とする。
【発明を実施するための最良の形態】
【００１３】
以下、本発明の実施形態について図面に基づき詳細に説明する。
【００１４】
図１は、本発明の一実施形態に係る光送信モジュール１の構成の一例を示す図である。図１に例示するように、本実施形態に係る光送信モジュール１は、データ信号線２、クロック信号線３、レーザドライバ４、光変調器５、インピーダンス整合回路６、を備えている。
【００１５】
データ信号線２は、レーザドライバ４と、光送信モジュール１外のプリント回路板７とを電気的に接続している。クロック信号線３は、レーザドライバ４と、光送信モジュール１外のクロック信号出力装置８と、を電気的に接続している。なお、クロック信号出力装置８がプリント回路板７上に設けられていてもよい。
【００１６】
プリント回路板７には、種々の電子部品が搭載されている。そして、本実施形態では、プリント回路板７が、データ信号を生成して、データ信号線２経由でレーザドライバ４にデータ信号を出力する。そして、レーザドライバ４が、プリント回路板７からデータ信号を受け付ける。本実施形態では、プリント回路板７は、例えば、２０Ｇｂｐｓ以上（例えば、４０Ｇｂｐｓ）の高周波信号であるデータ信号を出力する。図２は、時刻ｔ（横軸）と、時刻ｔにおけるレーザドライバ４が受け付けるデータ信号の信号強度（縦軸）と、の関係の一例を示す図である。図２に例示するように、本実施形態では、プリント回路板７は矩形波のデータ信号を出力する。なお、プリント回路板７は、矩形波とは異なる波形のデータ信号を出力しても構わない。
【００１７】
クロック信号出力装置８は、所定の周波数のクロック信号を生成し、クロック信号線３を経由してレーザドライバ４にクロック信号を出力する。そして、レーザドライバ４が、クロック信号出力装置８からクロック信号を受け付ける。図３は、時刻ｔ（横軸）と、時刻ｔにおけるレーザドライバ４が受け付けるクロック信号の信号強度（縦軸）と、の関係の一例を示す図である。なお、本実施形態では、クロック信号出力装置８は、図３に例示するように、プリント回路板７が出力するデータ信号と等しい周波数である、正弦波のクロック信号を生成し、レーザドライバ４に出力する。なお、クロック信号出力装置８は、正弦波とは異なる波形のクロック信号（例えば、矩形波のクロック信号）を生成しても構わない。
【００１８】
データ信号線２やクロック信号線３は、リード線やフレキシブルコネクタなどの、同軸ケーブルとは異なる接続部材により構成されていてもよい。データ信号線２やクロック信号線３が、同軸ケーブルとは異なる接続部材により構成されることで、データ信号線２やクロック信号線３が同軸ケーブルにより構成される場合よりも、光送信モジュール１を容易に小型化することができる。また、一般的に、リード線やフレキシブルコネクタは、同軸ケーブルと比較して安価であるため、データ信号線２やクロック信号線３が、同軸ケーブルとは異なる接続部材により構成されることで、光送信モジュール１の製造コストの低減が期待できる。
【００１９】
レーザドライバ４は、例えば、ＩＣなどの電子部品や電子回路などを含んで構成される制御デバイスである。なお、レーザドライバ４は、ＣＰＵ等のプログラム制御デバイスとメモリ等の記憶デバイスを含んで構成されていてもよい。
【００２０】
光変調器５は、例えば、直接変調型光変調器や、外部変調型光変調器であり、レーザドライバ４から出力されるデータ信号を受け付けて、このデータ信号に応じた光を出射する。
【００２１】
図４は、本実施形態に係る光送信モジュール１に含まれるレーザドライバ４により実現される機能の一例を示す機能ブロック図である。図４に例示するように、本実施形態に係るレーザドライバ４は、機能的には、データ信号受付部４０、クロック信号受付部４２、データ信号補正部４４、を含むものとして機能する。これらの要素は、レーザドライバ４に含まれるＩＣや電子回路などにより実現されている。なお、これらの要素は、レーザドライバ４にインストールされたプログラムを、レーザドライバ４に含まれるＣＰＵなどのプログラム制御デバイスで実行することにより実現されるようにしてもよい。
【００２２】
データ信号受付部４０は、プリント回路板７から出力される、例えば、図２に信号強度の時間変化の一例が示されているデータ信号を受け付ける。そして、クロック信号受付部４２は、クロック信号出力装置８から出力される、例えば、図３に信号強度の時間変化の一例が示されているクロック信号を受け付ける。
【００２３】
データ信号補正部４４は、クロック信号に基づいてデータ信号を補正して、補正されたデータ信号を光変調器５に出力する。具体的には、例えば、図２に信号強度の時間変化の一例が示されているデータ信号が変化するタイミングを、図３に信号強度の時間変化の一例が示されているクロック信号の強度が所定の値（例えば、最大信号強度の値）となるタイミングに同期するよう補正することで、図５に信号強度の時間変化の一例が示されているデータ信号を生成して、光変調器５に出力する。なお、クロック信号受付部４２のクロック信号入力感度が小さい程クロック信号の強度が所定の値となるタイミングの測定精度を高くなるので、クロック信号受付部４２のクロック信号入力感度はできるだけ小さくすることが望ましい。図５は、時刻ｔ（横軸）と、時刻ｔにおけるレーザドライバ４が受け付ける補正後のデータ信号の信号強度（縦軸）と、の関係の一例を示す図である。このようにして、データ信号の位相方向（時間方向）のずれが補正される。なお、データ信号補正部４４は、補正されたデータ信号を増幅して光変調器５に出力するようにしてもよい。
【００２４】
そして、光変調器５が、データ信号補正部４４により補正されたデータ信号を受け付けて、このデータ信号に応じた光を出射する。
【００２５】
このようにして、本実施形態に係る光送信モジュール１では、データ信号線２を経由することでデータ信号の通信品質（例えば、高周波特性）が劣化したとしても、レーザドライバ４において、クロック信号に基づいてデータ信号が補正されるので、劣化したデータ信号の通信品質を高めることができる。なお、上述の処理例は、データ信号の補正の一例にすぎない。
【００２６】
インピーダンス整合回路６は、クロック信号出力装置８と、クロック信号受付部４２との間の伝送路（例えば、クロック信号線３）中の、特定インピーダンスが不連続となる部分における電気的反射などを低減する（すなわち、インピーダンス不整合を解消する）電子回路であり、クロック信号出力装置８と、クロック信号受付部４２との間に設けられている。
【００２７】
本実施形態では、クロック信号出力装置８が出力するクロック信号の周波数成分についてのインピーダンス不整合を解消するインピーダンス整合回路６が、クロック信号出力装置８と、クロック信号受付部４２との間に設けられている。
【００２８】
本実施形態では、クロック信号出力装置８が正弦波のクロック信号を生成して出力するため、この周波数成分のみのインピーダンス不整合を解消するためのインピーダンス整合回路６を製造して、クロック信号出力装置８と、クロック信号受付部４２と、の間に設ければよい。このように、本実施形態では、クロック信号出力装置８が正弦波のクロック信号を生成して出力することによって、インピーダンス整合回路６を容易に製造することができるようになっている。
【００２９】
なお、本発明は上記実施形態に限定されるものではない。
【００３０】
例えば、クロック信号出力装置８が、例えば、図６に例示するように、プリント回路板７が出力するデータ信号の半分の周波数（例えば、２０Ｇｂｐｓ）のクロック信号を出力するようにしてもよい。図６は、時刻ｔ（横軸）と、時刻ｔにおけるレーザドライバ４が受け付けるクロック信号の信号強度（縦軸）と、の関係の一例を示す図である。そして、データ信号補正部４４が、図２に例示する矩形波であるデータ信号が変化するタイミングを、例えば、位相が０のタイミング及び位相がπのタイミング（すなわち、信号強度の値が、信号強度の最大値と最小値の平均値となるタイミング）に同期するよう補正することで、図５に信号強度の時間変化の一例が示されているデータ信号を生成して、光変調器５に出力するようにしてもよい。このように、クロック信号の周波数が、データ信号の周波数よりも小さくてもよい。一般的に、周波数が高いほど電気的反射の低減が困難であるため、こうすることで、クロック信号の周波数が、データ信号の周波数と等しい場合と比較して、クロック信号線３で発生する電気的反射を容易に低減することができる。
【００３１】
また、例えば、データ信号受付部４０が受け付けるデータ信号の出力元は、プリント回路板７に限定されない。例えば、公知のパーソナルコンピュータが備えるＣＰＵ等の制御部がデータ信号を生成して、パーソナルコンピュータが備えるネットワークカードなどのプリント回路板７経由で、レーザドライバ４に出力するようにしてもよい。
【図面の簡単な説明】
【００３２】
【図１】本発明の一実施形態に係る光送信モジュールの構成の一例を示す図である。
【図２】時刻と、その時刻におけるデータ信号の信号強度との関係の一例を示す図である。
【図３】時刻と、その時刻におけるクロック信号の信号強度との関係の一例を示す図である。
【図４】本発明の一実施形態に係る光送信モジュールに含まれるレーザドライバにより実現される機能の一例を示す機能ブロック図である。
【図５】時刻と、その時刻における補正後のデータ信号の信号強度との関係の一例を示す図である。
【図６】時刻と、その時刻におけるクロック信号の信号強度との関係の一例を示す図である。
【符号の説明】
【００３３】
１  光送信モジュール、２  データ信号線、３  クロック信号線、４  レーザドライバ、５  光変調器、６  インピーダンス整合回路、７  プリント回路板、８  クロック信号出力装置、４０  データ信号受付部、４２  クロック信号受付部、４４  データ信号補正部。
【図１】
2010109764.tif 000003
【図２】
2010109764.tif 000004
【図３】
2010109764.tif 000005
【図４】
2010109764.tif 000006
【図５】
2010109764.tif 000007
【図６】
2010109764.tif 000008